(57)【特許請求の範囲】
【請求項１】
第１絶縁基材と、
前記第１絶縁基材との間に空間を介して配置された第２絶縁基材と、
前記第１絶縁基材の前記第２絶縁基材側の面全体に形成された感圧導電体と、
前記第２絶縁基材の前記第１絶縁基材側の面に形成され、複数の第１電極と、前記複数の第１電極の一端同士を連結するように延び第１端部を有する第１連結部と、前記第１連結部の前記第１端部から延びる第１配線部と、を有する第１電極パターンと、
前記第２絶縁基材の前記第１絶縁基材側の面に形成され、前記第１電極と交互に配置された複数の第２電極と、前記複数の第２電極の一端同士を連結するように延び、第１端部及び前記第１連結部の第１端部に対して対角にある第２端部を有する第２連結部と、前記第２連結部の第１端部側へ前記第２連結部の前記第２端部から、位置を変えて前記第２連結部を折り返すように延びる第２配線部と、を有する第２電極パターンとを備え、
隣り合う前記第１電極及び前記第２電極が前記感圧導電体を介して導通した場合に、前記第２配線部の導通経路が長くなることによって前記第１配線部の出力端と前記第２配線部の出力端との間の導通経路の抵抗が前記第１電極と前記第２電極のいずれの組み合わせでも実質的に等しくなっている、感圧センサ。
【請求項２】
前記第１配線部の出力端と前記第２配線部の出力端との間の導通経路の抵抗のばらつきは、最大荷重を加えた場合の感圧抵抗の１０％以下である、請求項１に記載の感圧センサ。
【請求項３】
前記第２配線部は、前記第１連結部又は前記第２連結部の近傍を通って前記第２連結部を折り返すように延びる、請求項１又は２に記載の感圧センサ。
【請求項４】
第１絶縁基材と、
前記第１絶縁基材との間に空間を介して配置された第２絶縁基材と、
前記第１絶縁基材の前記第２絶縁基材側の面全体に形成された感圧導電体と、
前記第２絶縁基材の前記第１絶縁基材側の面に形成され、複数の第１電極と、前記複数の第１電極の一端同士を連結するように延び第１端部を有する第１連結部と、前記第１連結部の前記第１端部から延びる第１配線部と、を有する第１電極パターンと、
前記第２絶縁基材の前記第１絶縁基材側の面に形成され、前記第１電極と交互に配置された複数の第２電極と、前記複数の第２電極の一端同士を連結するように延び、第１端部及び前記第１連結部の前記第１端部に対して対角にある第２端部を有する第２連結部と、前記第２連結部の第１端部側へ前記第２連結部の前記第２端部から、位置を変えて前記第２連結部を折り返すように延びる第２配線部と、を有する第２電極パターンとを備え、
隣り合う前記第１電極及び前記第２電極が前記感圧導電体を介して導通した場合に、前記第２配線部の導通経路が長くなることによって前記第１配線部の出力端と前記第２配線部の出力端との間の導通経路の抵抗が前記第１電極と前記第２電極のいずれの組み合わせでも実質的に等しく、
前記第２絶縁基材の前記第１絶縁基材側の面に形成され、複数の第３電極と、前記複数の第３電極の一端同士を連結するように延びる第３連結部と、前記第３連結部の第３端部から延びる第３配線部と、を有する第３電極パターンと、
前記第２絶縁基材の前記第１絶縁基材側の面に形成され、前記第３電極と交互に配置された複数の第４電極と、前記複数の第４電極の一端同士を連結するように延び、第３端部及び前記第３連結部の前記第３端部に対して対角にある第４端部を有する第４連結部と、前記第４連結部の第３端部側へ前記第４連結部の前記第４端部から、位置を変えて前記第４連結部を折り返すように延びる第４配線部と、を有する第４電極パターンとを備え、
隣り合う前記第３電極及び前記第４電極が前記感圧導電体を介して導通した場合に、前記第４配線部の導通経路が長くなることによって前記第３配線部の出力端と前記第４配線部の出力端との間の導通経路の抵抗が前記第３電極と前記第４電極のいずれの組み合わせでも実質的に等しくなっている、感圧センサ。
【請求項５】
前記第１配線部の出力端と前記第２配線部の出力端との間の導通経路の抵抗のばらつきは、最大荷重を加えた場合の感圧抵抗の１０％以下であり、前記第３端部の出力端と前記第４端部の出力端との間の導通経路の抵抗のばらつきは、最大荷重を加えた場合の感圧抵抗の１０％以下である、請求項４に記載の感圧センサ。
【請求項６】
前記第１配線部と前記第３配線部が共通である、又は、前記第２配線部と前記第４配線部が共通である、請求項４又は５に記載の感圧センサ。
【発明の詳細な説明】
【技術分野】
【０００１】
本発明は、感圧センサ、特に、感圧層と一対の電極パターンとが空間を介して対向配置された感圧センサに関する。
【背景技術】
【０００２】
従来、押圧力を検出する押圧検出機能を有するものとして、感圧センサが知られている（例えば、特許文献１を参照）。
特許文献１に記載の圧力センサ１は、感圧用薄膜３と、電極４１，４２とを有しており、両者が空間を介して対向している。図１１に示す電極４１，４２は櫛歯形状になっている。押圧力が加えられると、電極４１，４２の一対の櫛歯同士が感圧用薄膜３を介して接続される。これにより、電極４１，４２及び接触位置における感圧用薄膜３の抵抗の値に基づいて、圧力検出部が押圧力を検出する。
【先行技術文献】
【特許文献】
【０００３】
【特許文献１】特開２０１２−２４７３７２号公報
【発明の概要】
【発明が解決しようとする課題】
【０００４】
上記の圧力センサ１の導通経路（電極の出力端同士の間）における感圧抵抗は、第１の電極配線の抵抗、第１の電極と感圧用薄膜の接触抵抗、感圧用薄膜の抵抗、第２の電極と感圧用薄膜との接触抵抗、及び第２の電極配線の抵抗の合計である。押圧力の大きさによって、上記の接触抵抗が変化する。これにより、押圧力が測定される。
なお、押圧位置が異なる場合には、押圧力の大きさに関わりなく、電極配線の導通経路の長さが大きく異なることがある。したがって同じ押圧力であっても、押圧位置によっては全体の導通経路の抵抗が異なってしまう。ただし、一般的なメンブレンスイッチ代替用の感圧センサの場合は、上記の接触抵抗が電極配線の導通経路の抵抗より十分に大きかったので、電極配線の導通経路の抵抗の変動は無視しても問題が少なかった。
一方、大型化された感圧センサでは、電極配線の導通経路の抵抗の割合が大きくなるので、その違いによって、押圧力に対する抵抗検出値が大きく異なるおそれがある。
【０００５】
本発明の課題は、感圧センサにおいて押圧力の面内の感度ばらつきをなくすことにある。
【課題を解決するための手段】
【０００６】
以下に、課題を解決するための手段として複数の態様を説明する。これら態様は、必要に応じて任意に組み合せることができる。
【０００７】
本発明の一見地に係る感圧センサは、第１絶縁基材と、第２絶縁基材と、感圧導電体と、第１電極パターンと、第２電極パターンと、第１配線部と、第２配線部と、を備えている。
第２絶縁基材は、第１絶縁基材との間に空間を介して配置されている。
感圧導電体は、第１絶縁基材の第２絶縁基材側の面全体に形成されている。
第１電極パターンは、第２絶縁基材の第１絶縁基材側の面に形成され、複数の第１電極と、複数の第１電極の一端同士を連結するように延び第１端部を有する第１連結部と、第１連結部の第１端部から延びる第１配線部とを有する。
第２電極パターンは、第２絶縁基材の第１絶縁基材側の面に形成され、第１電極と交互に配置された複数の第２電極と、複数の第２電極の一端同士を連結するように延び第１端部に対して対角にある第２端部を有する第２連結部と、第２連結部の第２端部から延びる第２配線部とを有する。
第２配線部は、隣接する第１電極及び第２電極が感圧導電体を介して導通した場合に第１配線部の出力端と第２配線部の出力端との間の導通経路の抵抗が第１電極と第２電極のいずれの組み合わせでも実質的に等しくなるように延びる。
なお、「端部から延びる」とは、端における所定の長さ部分のいずれかから延びていることを意味する（以下、同じ）。
【０００８】
このセンサでは、第１配線部が第１連結部の第１端部から延び、第２配線部が第２連結部の第２端部から延びている。したがって、隣接する第１電極及び第２電極が感圧導電体を介して導通した場合に、第１の電極配線の抵抗と第２の電極配線の抵抗とを合計した抵抗が、第１電極と第２電極のいずれの組み合わせでも実質的に等しくなる。
従来であれば、第２配線部が第２電極パターンの第２連結部の第１端部から延びているので、第２端部の近傍の第１電極と第２電極が導通するように押圧力が作用した場合（第１の場合）、第１連結部の導通経路及び第２連結部の導通経路は共に長い。それに対して、第１端部の近傍の第１電極と第２電極が導通するように押圧力が作用した場合（第２の場合）、第１連結部の導通経路及び第２連結部の導通経路は共に短い。このように連結部の導通経路の合計が第１の場合と第２の場合とで異なることで、導通経路全体の抵抗が、第１電極と第２電極の組み合わせによっては、大きく異なってしまう。
それに対して、本発明では、第１の場合は、第１連結部の導通経路が変わらず長いままであり、第２連結部の導通経路が第１の場合に比べて短くなるが、そこに第２配線部の抵抗が加わるので、結果的に、導通経路全体の抵抗が従来に比べてわずかに高くなる。さらに、第２の場合、第１連結部の導通経路が変わらず短いままであるが、第２連結部の導通経路が長くなり、そこに第２配線部の抵抗が加わるので、結果的に、導通経路全体の抵抗が従来に比べて大幅に高くなる。その結果、導通経路全体の抵抗が、第１電極と第２電極のいずれの組み合わせの場合でも、実質的に等しくなる。
【０００９】
第１配線部の出力端と前記第２配線部の出力端との間の導通経路の抵抗のばらつきは、最大荷重を加えた場合の感圧抵抗の１０％以下であってもよい。
【００１０】
第２配線部は、第２連結部の近傍を通って延びていてもよい。
【００１１】
第２配線部は、第１連結部の近傍を通って延びていてもよい。
【００１２】
本発明の他の見地に係る感圧センサは、第１絶縁基材と、第２絶縁基材と、感圧導電体と、第１電極パターンと、第２電極パターンと、第１配線部と、第２配線部と、第３電極パターンと、第４電極パターンと、第３配線部と、第４配線部と、を備えている。
第２絶縁基材は、第１絶縁基材との間に空間を介して配置されている。
感圧導電体は、第１絶縁基材の第２絶縁基材側の面全体に形成されている。
第１電極パターンは、第２絶縁基材の第１絶縁基材側の面に形成され、複数の第１電極と、複数の第１電極の一端同士を連結するように延び第１端部を有する第１連結部と、第１連結部の第１端部から延びる第１配線部とを有する。
第２電極パターンは、第２絶縁基材の第１絶縁基材側の面に形成され、第１電極と交互に配置された複数の第２電極と、複数の第２電極の一端同士を連結するように延び第１端部に対して対角にある第２端部を有する第２連結部と、第２連結部の第２端部から延びる第２配線部とを有する。
第２配線部は、隣接する第１電極及び第２電極が感圧導電体を介して導通した場合に第１配線部の出力端と第２配線部の出力端との間の導通経路の抵抗が第１電極と第２電極のいずれの組み合わせでも実質的に等しくなるように延びる。
第３電極パターンは、第２絶縁基材の第１絶縁基材側の面に形成され、複数の第３電極と、複数の第３電極の一端同士を連結するように延びる第３連結部と、第３連結部の第３端部から延びる第３配線部とを有する。
第４電極パターンは、第２絶縁基材の第１絶縁基材側の面に形成され、第３電極と交互に配置された複数の第４電極と、複数の第４電極の一端同士を連結するように延び第３端部に対して対角にある第４端部を有する第４連結部と、第４連結部の第４端部から延びる第４配線部とを有する。
第４配線部は、隣接する第３電極及び第４電極が感圧導電体を介して導通した場合に第３配線部の出力端と第４配線部の出力端との間の導通経路の抵抗が第３電極と第４電極のいずれの組み合わせでも実質的に等しくなるように延びる。
【００１３】
このセンサでは、平面の異なる位置において複数のセンサが配置されている。したがって、異なる領域の押圧力を同時に検出可能である。
【００１４】
第１配線部の出力端と第２配線部の出力端との間の導通経路の抵抗のばらつきは、最大荷重を加えた場合の感圧抵抗の１０％以下であり、第３端部の出力端と第４端部の出力端との間の導通経路の抵抗のばらつきは、最大荷重を加えた場合の感圧抵抗の１０％以下であってもよい。
【００１５】
第１配線部と第３配線部が共通である、又は、第２配線部と第４配線部が共通であってもよい。この場合、配線部の数及び面積を減らせる。特に、制御のために必要となるＩＣ側の制御信号本数を減らすことができる。
【発明の効果】
【００１６】
本発明に係る感圧センサでは、第１配線部の出力端と第２配線部の出力端との間の導通経路の抵抗が、第１電極と第２電極のいずれの組み合わせの場合でも、実質的に等しくなる。
【図面の簡単な説明】
【００１７】
【図１】本発明に係る感圧センサの構成を示す模式図。
【図２】感圧センサの側面図。
【図３】感圧センサの平面図。
【図４】図３のＩＩ−ＩＩ断面図。
【図５】抵抗測定の原理を示す模式図。
【図６】荷重に対する抵抗Ｒｔｏｔａｌの変化を示すグラフ（感圧特性）。
【図７】第１例の電極パターンを示す平面図。
【図８】第１例の電極パターンを示す平面図。
【図９】第２例の電極パターンを示す平面図。
【図１０】第２例の電極パターンを示す平面図。
【図１１】第３例の電極パターンを示す平面図。
【図１２】第３例の電極パターンを示す平面図。
【図１３】第４例の電極パターンを示す平面図。
【図１４】第４例の電極パターンを示す平面図。
【図１５】第５例の電極パターンを示す平面図。
【図１６】第６例の電極パターンを示す平面図。
【図１７】第７例の電極パターンを示す平面図。
【図１８】第８例の電極パターンを示す平面図。
【図１９】第９例の電極パターンを示す平面図。
【図２０】第１０例の電極パターンを示す平面図。
【図２１】感圧センサが適用された表示装置の模式的断面図。
【発明を実施するための形態】
【００１８】
１．第１実施形態
（１）センサ装置全体の構成
図１を用いて、感圧センサ３を含んだセンサ装置１を説明する。図１は、本発明に係る感圧センサの構成を示す模式図である。なお、図１の断面図はあくまでも層同士の概略位置関係を示しているだけであって、厳密に実際の構成を再現していない。
センサ装置１は、押圧力を検出するための装置である。センサ装置１は、感圧センサ３を有する。感圧センサ３は、押圧力を受けたときの抵抗の変化を検出するセンサである。
【００１９】
感圧センサ３は、主に、上側層９と、下側層１１と、中間接着層１３とを有する。
上側層９は、上部フィルム１５（第１絶縁基材の一例）と、感圧層１７（感圧導電体の一例）とを有する。上部フィルム１５は、例えば人間の指からの押圧力が作用する層である。感圧層１７は、上部フィルム１５の下面（つまり、下部フィルム１９側の面）に形成されている。感圧層１７は上部フィルム１５の下面に全面的に形成されている。「全面的に形成されている」とは、後述する電極との接触において必要な箇所全体にベタ形成されている、という意味である。
【００２０】
下側層１１は、下部フィルム１９（第２絶縁基材の一例）と配線２１とを有する。下部フィルム１９は、上部フィルム１５との間に空間を介して配置されている。配線２１は、下部フィルム１９の上面（つまり、上部フィルム１５側の面に）に形成されている。配線２１と感圧層１７との間には、空気層２９が確保されている。
中間接着層１３は、上側層９と下側層１１との間に挟まれた枠形状部分であり、上述の空気層２９を確保している。中間接着層１３は、絶縁層２３と、絶縁層２５と、接着層２７とを有する。絶縁層２３は、上側層９の下面に設けられている。絶縁層２５は下側層１１の上面に設けられている。接着層２７は絶縁層２３と絶縁層２５との間に配置され、両者を接着している。これにより、上側層９と下側層１１とが絶縁状態で固定されている。なお、絶縁層２３は省略されてもよい。
【００２１】
上記の例において、感圧層と配線は対向するフィルムにそれぞれ設けられて対向していればよいので、感圧層と配線とは上下が入れ替わってもよい。
【００２２】
センサ装置１は、検出回路５を有する。検出回路５は、押圧力が作用することによって感圧層１７が配線２１に接触したときに、配線２１における抵抗を測定しさらに信号処理することで、押圧力を検出する装置である。
センサ装置１は、制御部７を有する。制御部７は、検出回路５を制御すると共に、検出回路５からの出力を他の装置に送信したり、ディスプレイに表示したりするための装置である。制御部７は、ＣＰＵ，ＲＡＭ，ＲＯＭを含むコンピュータである。
【００２３】
（２）感圧センサの構成
図２〜図４を用いて、感圧センサ３を詳細に説明する。図２は、感圧センサの側面図である。図３は、感圧センサの平面図である。図４は、図３のＩＩ−ＩＩ断面図である。
図２及び図３に示すように、下部フィルム１９は、上部フィルム１５と対向する部分からさらに延びる延長部３０を有する。延長部３０は、第１配線部３５及び第２配線部４５（後述）を有する。以上に述べたように、感圧センサ３のセンサ出力は片面取り出し方式である。
さらに、図３及び図４に示すように、配線２１は、一対の櫛歯形状の電極パターン（後述）からなる。
【００２４】
上部フィルム１５及び下部フィルム１９の材料は、フレキシブル基板に使用可能な材質、例えば、ポリエチレンテレフタレート、ポリスチレン系樹脂、ポリオレフィン系樹脂、ＡＢＳ樹脂、ＡＳ樹脂、アクリル系樹脂、ＡＮ樹脂などの汎用樹脂を挙げることができる。また、ポリスチレン系樹脂、ポリカーボネート系樹脂、ポリアセタール系樹脂、ポリカーボネート変性ポリフェニレンエーテル樹脂、ポリブチレンテレフタレート樹脂、超高分子量ポリエチレン樹脂などの汎用エンジニアリング樹脂や、ポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を用いることもできる。
【００２５】
配線２１の材料としては、金、銀、銅、若しくはニッケルなどの金属、あるいはカーボンなどの導電性を有するペーストを用いることができる。これらの形成方法としては、スクリーン印刷、オフセット印刷、グラビア印刷、若しくはフレキソ印刷などの印刷法、フォトレジスト法などが挙げられる。また、配線２１は、銅や金などの金属箔を貼り付けて形成することもできる。さらに、配線２１は、銅などの金属をメッキしたＦＰＣの上にレジストで電極パターンを形成し、レジストで保護されていない部分の金属箔をエッチング処理することによって形成することもできる。電極はここに挙げた形成方法や材料を組み合わせたり積層したりしてもよい。
一例として、スクリーン印刷を用いる場合は、銀インキが材料であり、配線幅は３０〜５００μｍであり、厚みは１〜１００μｍである。他の例として、フォトリソグラフィの場合は、材料は銅であり、配線幅が１０〜３００μｍであり、厚みは２０〜１０００ｎｍである。
【００２６】
感圧層１７は、例えば、カーボンインキ、ＰＥＤＯＴ、導電性粒子を含んだポリマーからなる。感圧層１７を構成する組成物は、外力に応じて電気抵抗値などの電気特性が変化する素材で構成されている。感圧層１７は、塗布により下部フィルム１９に配置できる。感圧層１７の塗布方法としては、スクリーン印刷、オフセット印刷、グラビア印刷、又はフレキソ印刷などの印刷法を用いることができる。
絶縁層２３、２５は、例えば、ポリオール樹脂系、イソシアネート樹脂系、メチレン樹脂系、アクリル樹脂系、ウレタン樹脂系やシリコーン樹脂系の材料が用いられる。接着層２７は、例えば、アクリル樹脂系、ウレタン樹脂系やシリコーン樹脂系の粘着剤である。
【００２７】
（３）抵抗の検出原理
図５を用いて、検出回路５による抵抗の検出原理を説明する。図５は、抵抗測定の原理を示す模式図である。検出回路５は、直流電源２２と、抵抗計２４とを有しており、これらは直列に接続され、さらにその両端に配線２１の一対の電極パターンが接続されている。これにより、図５に示すように押圧力によって感圧層１７が一対の電極に接触すれば、一対の電極同士が感圧層１７を介して導通する（詳細は後述）。これにより、抵抗計２４が抵抗を測定可能になる。なお、押圧力が増加すれば、感圧層１７と一対の電極との接触抵抗が減少する。その結果、押圧力の大きさを正確に測定できる。
【００２８】
図６を用いて、荷重に対する抵抗の変化を説明する。図６は、荷重に対する抵抗Ｒｔｏｔａｌの変化（感圧特性）を示すグラフである。実線で示すカーブでは、荷重が増加すれば抵抗が減少していくことが分かる。
【００２９】
（４）配線の第１例
図７及び図８を用いて、配線の第１例の構成を説明する。図７及び図８は、第１例の電極パターンを示す平面図である。
配線は、第１電極パターン２１Ａ（第１電極パターンの一例）と、第２電極パターン２１Ｂ（第２電極パターンの一例）とを有する。
【００３０】
第１電極パターン２１Ａは、複数の第１電極部３１と、第１連結部３３と、第１配線部３５とを有する。複数の第１電極部３１は、図の左右方向に延びる帯状又は短冊状であり、図の上下方向に間隔を空けて配置されている。第１連結部３３は、図の上下方向に延び複数の第１電極部３１の図右側端同士を連結している。なお、第１連結部３３の図下側端を第１端部３７とし、図上側端を第２端部３９とする。
第１配線部３５は、第１端部３７から延びている。第１配線部３５は、検出回路５まで延びており、検出回路５に接続される出力端を有する。
【００３１】
第２電極パターン２１Ｂは、複数の第２電極部４１と、第２連結部４３と、第２配線部４５とを有する。複数の第２電極部４１は、図の左右方向に延びる帯状又は短冊状であり、図の上下方向に間隔を空けて配置されている。第２電極部４１は第１電極部３１と交互に配置されている。第２連結部４３は、図の上下方向に延び複数の第２電極部４１の図左側端同士を連結している。なお、第２連結部４３の図下側端を第１端部４７とし、図上側端を第２端部４９とする。つまり、第１端部３７と第１端部４７は同じ側にあり、第２端部３９と第２端部４９は同じ側にある。言い換えると、第２端部４９は第１端部３７の対角にある。
【００３２】
第２配線部４５は、第２端部４９から延びている。より具体的には、第２配線部４５は、第２端部４９から始まり、第２連結部４３に沿って（つまり、近傍を通って）延び、さらに第１配線部３５に接近して延び、最後に第１配線部３５の近傍で第１配線部３５に対して平行して延びる。これにより、第２配線部４５は、第１配線部３５に比べて長くなっている。なお、第２配線部４５は、検出回路５まで延びており、検出回路５に接続される出力端を有する。
この感圧センサ３では、第１配線部３５が第１連結部３３の第１端部３７から延び、第２配線部４５が第２連結部４３の第２端部４９から延びている。したがって、隣接する第１電極部３１及び第２電極部４１が感圧層１７を介して接触した場合に、第１配線部３５の出力端と第２配線部４５の出力端との間（導通経路全体）の抵抗が、第１電極部３１と第２電極部４１のいずれの組み合わせでも実質的に等しくなる。以下、さらに詳細に説明する。
【００３３】
図７に示すよう、第１点Ｐ１が押圧され、１本の第１電極部３１と１本の第２電極部４１とが当該部分の感圧層１７を介して導通する。第１点Ｐ１は、図７に示すように、図上側つまり第２端部３９及び第２端部４９側に位置している。この場合、第１点Ｐ１から第１電極パターン２１Ａにおける導通経路Ａ１は、第１電極部３１、第１連結部３３、第１配線部３５となる。そして、第１点Ｐ１から第２電極パターン２１Ｂにおける導通経路Ｂ１は、第２電極部４１、第２連結部４３、第２配線部４５となる。
【００３４】
図８に示すよう、第２点Ｐ２が押圧されると、１本の第１電極部３１と１本の第２電極部４１とが当該部分の感圧層１７を介して導通する。第２点Ｐ２は、図８に示すように、図下側つまり第１端部３７及び第１端部４７側に位置している。この場合、第２点Ｐ２からの第１電極パターン２１Ａにおける導通経路Ａ２は、第１電極部３１、第１連結部３３、第１配線部３５となる。そして、第２点Ｐ２からの第２電極パターン２１Ｂにおける導通経路Ｂ２は、第２電極部４１、第２連結部４３、第２配線部４５となる。
【００３５】
上記のように第１点Ｐ１と第２点Ｐ２が押圧された場合に、それぞれの導通経路全体（Ａ１＋Ｂ１とＡ２＋Ｂ２）の長さは、実質的に等しい。具体的には、配線抵抗のばらつきは、感圧抵抗値の１０％以下になっている。なお、感圧抵抗値とは、適用するアプリケーションにおける最大荷重を加えた際の抵抗値である。
【００３６】
従来であれば、第２配線部４５が第２電極パターン２１Ｂの第２連結部４３の第１端部４７から延びているので、第２端部３９及び第２端部４９の近傍の第１電極部３１と第２電極部４１が導通するように押圧力が作用した場合（第１の場合）、第１連結部３３の導通経路（図７のＡ１）及び第２連結部４３の導通経路（図７のＣ１）は共に長い。また、従来であれば、第１端部３７及び第１端部４７の近傍の第１電極部３１と第２電極部４１が導通するように押圧力が作用した場合（第２の場合）、第１連結部３３の導通経路（図８のＡ２）及び第２連結部４３の導通経路（図８のＣ２）は共に短い。このように従来であれば連結部の導通経路全体の長さが第１の場合と第２の場合とで異なることで、導通経路全体の抵抗が、第１電極部３１と第２電極部４１の組み合わせによっては、大きく異なってしまう。その結果、例えば、図６の点線で示す抵抗の差ΔＲＡgが生じてしまう。
【００３７】
本実施形態では、第１の場合は、第１連結部３３の導通経路が変わらず長いままであり、第２連結部４３の導通経路が第２の場合に比べて短くなるが、そこに第２配線部４５の抵抗が加わるので、結果的に、導通経路全体が従来に比べてわずかに高くなる。第２の場合、第１連結部３３の導通経路が変わらず短いままであるが、第２連結部４３の導通経路が長くなり、そこに第２配線部４５の抵抗が加わるので、結果的に、導通経路全体が従来に比べて大幅に高くなる。さらに、その結果、導通経路全体の抵抗が、第１電極部３１と第２電極部４１のいずれの組み合わせの場合でも、実質的に等しくなる。例えば、図６の実線で示す概ね同一の抵抗が生じる。
【００３８】
（５）配線の第２例
図９及び図１０を用いて、配線の第２例の構成を説明する。図９及び図１０は、第２例の電極パターンを示す平面図である。
配線は、第１電極パターン２１Ｃ（第１電極パターンの一例）と、第２電極パターン２１Ｄ（第２電極パターンの一例）とを有する。
【００３９】
第１電極パターン２１Ｃは、複数の第１電極部３１と、第１連結部３３と、第１配線部３５Ａとを有する。第１電極部３１は、図の左右方向に延びる帯状又は短冊状であり、図の上下方向に間隔を空けて配置されている。第１連結部３３は、図の上下方向に延び複数の第１電極部３１の図左側端同士を連結している。第１配線部３５Ａは、第１連結部３３の端部から延びている。なお、第１連結部３３の図下側端を第１端部３７とし、図上側端を第２端部３９とする。
第１配線部３５Ａは、第１端部３７から延びている。第１配線部３５Ａは、検出回路５まで延びており、検出回路５に接続される出力端を有する。
【００４０】
第２電極パターン２１Ｄは、複数の第２電極部４１と、第２連結部４３と、第２配線部４５Ａとを有する。第２電極部４１は、図の左右方向に延びる帯状又は短冊状であり、図の上下方向に間隔を空けて配置されている。第２電極部４１は第１電極部３１と交互に配置されている。第２連結部４３は、図の上下方向に延び複数の第２電極部４１の図右側端同士を連結している。なお、第２連結部４３の図下側端を第１端部４７とし、図上側端を第２端部４９とする。つまり、第１端部３７と第１端部４７は同じ側にあり、第２端部３９と第２端部４９は同じ側にある。言い換えると、第２端部４９は第１端部３７の対角にある。
【００４１】
第２配線部４５Ａは、第２端部４９から延びている。より具体的には、第２配線部４５Ａは、第２端部４９から始まり、図の最も上側にある第１電極部３１に沿って延び、さらに第１連結部３３に沿って（つまり、近傍を通って）延び、最後に第１配線部３５Ａの近傍で第１配線部３５Ａに対して平行して延びる。これにより、第２配線部４５Ａは、第１配線部３５Ａに比べて長くなっている。なお、第２配線部４５Ａは、検出回路５まで延びており、検出回路５に接続される出力端を有する。
この感圧センサ３では、第１配線部３５Ａが第１連結部３３の第１端部３７から延び、第２配線部４５Ａが第２連結部４３の第２端部４９から延びている。したがって、隣接する第１電極部３１及び第２電極部４１が感圧層１７を介して接触した場合に、導通経路全体の抵抗が、第１電極部３１と第２電極部４１のいずれの組み合わせでも実質的に等しくなる。以下、さらに詳細に説明する。
【００４２】
図９に示すように、第１点Ｐ１が押圧され、１本の第１電極部３１と１本の第２電極部４１とが当該部分の感圧層１７を介して導通する。第１点Ｐ１は、図９に示すように、図上側つまり第２端部３９及び第２端部４９側に位置している。この場合、第１点Ｐ１からの第１電極パターン２１Ｃにおける導通経路Ａ３は、第１電極部３１、第１連結部３３、第１配線部３５Ａとなる。そして、第１点Ｐ１からの第２電極パターン２１Ｄにおける導通経路Ｂ３は、第２電極部４１、第２連結部４３、第２配線部４５Ａとなる。
【００４３】
図１０に示すよう、第２点Ｐ２が押圧されると、１本の第１電極部３１と１本の第２電極部４１とが当該部分の感圧層１７を介して導通する。第２点Ｐ２は、図１０に示すように、図下側つまり第１端部３７及び第１端部４７側に位置している。この場合、第２点Ｐ２から第１電極パターン２１Ｃにおける導通経路Ａ４は、第１電極部３１、第１連結部３３、第１配線部３５Ａとなる。そして、第２点Ｐ２から第２電極パターン２１Ｄにおける導通経路Ｂ４は、第２電極部４１、第２連結部４３、第２配線部４５Ａとなる。
【００４４】
上記のように第１点Ｐ１と第２点Ｐ２が押圧された場合に、それぞれの導通経路全体（Ａ３＋Ｂ３とＡ４＋Ｂ４）の長さは、実質的に等しい。
【００４５】
（６）配線の第３例
図１１及び図１２を用いて、配線の第３例の構成を説明する。図１１及び図１２は、第３例の電極パターンを示す平面図である。
配線は、第１電極パターン２１Ｅ（第１電極パターンの一例）と、第２電極パターン２１Ｆ（第２電極パターンの一例）とを有する。
【００４６】
第１電極パターン２１Ｅは、複数の第１電極部３１と、第１連結部３３と、第１配線部３５Ｂとを有する。第１電極部３１は、図の上下方向に延びる帯状又は短冊状であり、図の左右方向に間隔を空けて配置されている。第１連結部３３は、図の左右方向に延び複数の第１電極部３１の図下側端同士を連結している。なお、第１連結部３３の図左側端を第１端部３７とし、図右側端を第２端部３９とする。
第１配線部３５Ｂは、第１端部３７から延びている。第１配線部３５Ｂは、検出回路５まで延びており、検出回路５に接続される出力端を有する。
【００４７】
第２電極パターン２１Ｆは、複数の第２電極部４１と、第２連結部４３と、第２配線部４５Ｂとを有する。第２電極部４１は、図の上下方向に延びる帯状又は短冊状であり、図の左右方向に間隔を空けて配置されている。第２電極部４１は第１電極部３１と交互に配置されている。第２連結部４３は、図の左右方向に延び複数の第２電極部４１の図上側端同士を連結している。なお、第２連結部４３の図左側端を第１端部４７とし、図右側端を第２端部４９とする。つまり、第１端部３７と第１端部４７は同じ側にあり、第２端部３９と第２端部４９は同じ側にある。言い換えると、第２端部４９は第１端部３７の対角にある。
【００４８】
第２配線部４５Ｂは、第２端部４９から延びている。より具体的には、第２配線部４５Ｂは、第２端部４９から始まり、第２連結部４３に沿って（つまり、近傍を通って）延び、さらに図の最も左側の第１電極部３１に沿って延び、最後に第１配線部３５Ｂの近傍で前記第１配線部３５Ｂに対して平行して延びる。これにより、第２配線部４５Ｂは、第１配線部３５Ｂに比べて長くなっている。なお、第２配線部４５Ｂは、検出回路５まで延びており、検出回路５に接続される出力端を有する。
この感圧センサ３では、第１配線部３５Ｂが第１連結部３３の第１端部３７から延び、第２配線部４５Ｂが第２連結部４３の第２端部４９から延びている。したがって、隣接する第１電極部３１及び第２電極部４１が感圧層１７を介して接触した場合に、導通経路全体の抵抗が、第１電極部３１と第２電極部４１のいずれの組み合わせでも実質的に等しくなる。
【００４９】
図１１に示すように、第１点Ｐ１が押圧され、１本の第１電極部３１と１本の第２電極部４１とが当該部分の感圧層１７を介して導通する。第１点Ｐ１は、図１１に示すように、図右側つまり第２端部３９及び第２端部４９側に位置している。この場合、第１点Ｐ１からの第１電極パターン２１Ｅにおける導通経路Ａ５は、第１電極部３１、第１連結部３３、第１配線部３５Ｂとなる。そして、第１点Ｐ１からの第２電極パターン２１Ｆにおける導通経路Ｂ５は、第２電極部４１、第２連結部４３、第２配線部４５Ｂとなる。
【００５０】
図１２に示すよう、第２点Ｐ２が押圧されると、１本の第１電極部３１と１本の第２電極部４１とが当該部分の感圧層１７を介して導通する。第２点Ｐ２は、図１２に示すように、図左側つまり第１端部３７及び第１端部４７側に位置している。この場合、第２点Ｐ２からの第１電極パターン２１Ｅにおける導通経路Ａ６は、第１電極部３１、第１連結部３３、第１配線部３５Ｂとなる。そして、第２点Ｐ２からの第２電極パターン２１Ｆにおける導通経路Ｂ６は、第２電極部４１、第２連結部４３、第２配線部４５Ｂとなる。
【００５１】
上記のように第１点Ｐ１と第２点Ｐ２が押圧された場合に、それぞれの導通経路全体（Ａ５＋Ｂ５とＡ６＋Ｂ６）の長さは、実質的に等しい。
【００５２】
（７）配線の第４例
図１３及び図１４を用いて、配線の第４例の構成を説明する。図１３及び図１４は、第４例の電極パターンを示す平面図である。
【００５３】
この実施形態では、２組の配線（配線５１及び配線５３）が設けられている。配線５１及び配線５３は、同じフィルムの同じ面において異なる位置に形成されている。
配線５１は、第１電極パターン２１Ｇ（第１電極パターンの一例）と、第２電極パターン２１Ｈ（第２電極パターンの一例）とを有する。なお、配線５３は、第１電極パターン２１Ｇ（第３電極パターンの一例）と、第２電極パターン２１Ｈ（第４電極パターンの一例）とを有する。
【００５４】
配線５１を説明する。第１電極パターン２１Ｇは、複数の第１電極部３１と、第１連結部３３と、第１配線部３５Ｃとを有する。第１電極部３１は、図の左右方向に延びる帯状又は短冊状であり、図の上下方向に間隔を空けて配置されている。第１連結部３３は、図の上下方向に延び複数の第１電極部３１の図右側端同士を連結している。なお、第１連結部３３の図下側端を第１端部３７とし、図上側端を第２端部３９とする。
第１配線部３５Ｃは、第１端部３７から延びている。第１配線部３５Ｃは、検出回路５まで延びており、検出回路５に接続される出力端を有する。
【００５５】
第２電極パターン２１Ｈは、複数の第２電極部４１と、第２連結部４３と、第２配線部４５Ｃとを有する。第２電極部４１は、図の左右方向に延びる帯状又は短冊状であり、図の上下方向に間隔を空けて配置されている。第２電極部４１は第１電極部３１と交互に配置されている。第２連結部４３は、図の上下方向に延び複数の第２電極部４１の図左側端同士を連結している。なお、第２連結部４３の図下側端を第１端部４７とし、図上側端を第２端部４９とする。つまり、第１端部３７と第１端部４７は同じ側にあり、第２端部３９と第２端部４９は同じ側にある。言い換えると、第２端部４９は第１端部３７の対角にある。
【００５６】
第２配線部４５Ｃは、第２端部４９から延びている。より具体的には、第２配線部４５Ｃは、第２端部４９から始まり、図５の最も上側の第１電極部３１に沿って延び、さらに第１連結部３３に沿って（つまり、近傍を通って）延び、最後に第１配線部３５Ｂの近傍で第１配線部３５Ｂと平行して延びる。これにより、第２配線部４５Ｃは、第１配線部３５Ｃに比べて長くなっている。なお、第２配線部４５Ｃは、検出回路５まで延びており、検出回路５に接続される出力端を有する。
この感圧センサ３では、第１配線部３５Ｃが第１連結部３３の第１端部３７から延び、第２配線部４５Ｃが第２連結部４３の第２端部４９から延びている。したがって、隣接する第１電極部３１及び第２電極部４１が感圧層１７を介して接触した場合に、導通経路全体の抵抗が、第１電極部３１と第２電極部４１のいずれの組み合わせでも実質的に等しくなる。以下、さらに詳細に説明する。
【００５７】
図１３に示すように、第１点Ｐ１が押圧され、１本の第１電極部３１と１本の第２電極部４１とが当該部分の感圧層１７を介して導通する。第１点Ｐ１は、図１３に示すように、図上側つまり第２端部３９及び第２端部４９側に位置している。この場合、第１点Ｐ１からの第１電極パターン２１Ｇにおける導通経路Ａ７は、第１電極部３１、第１連結部３３、第１配線部３５Ｃとなる。そして、第１点Ｐ１からの第２電極パターン２１Ｈにおける導通経路Ｂ７は、第２電極部４１、第２連結部４３、第２配線部４５Ｃとなる。
【００５８】
図１４に示すよう、第２点Ｐ２が押圧されると、１本の第１電極部３１と１本の第２電極部４１とが当該部分の感圧層１７を介して導通する。第２点Ｐ２は、図１４に示すように、図下側つまり第１端部３７及び第１端部４７側に位置している。この場合、第２点Ｐ２からの第１電極パターン２１Ｇにおける導通経路Ａ８は、第１電極部３１、第１連結部３３、第１配線部３５Ｃとなる。そして、第２点Ｐ２からの第２電極パターン２１Ｈにおける導通経路Ｂ８は、第２電極部４１、第２連結部４３、第２配線部４５Ｃとなる。
【００５９】
上記のように第１点Ｐ１と第２点Ｐ２が押圧された場合に、それぞれの導通経路全体（Ａ７＋Ｂ７とＡ８＋Ｂ８）の長さは、実質的に等しい。
なお、配線５３は、配線５１と構造が同じであるので、同様な機能が得られる。
なお、以上の構成により、前記実施形態とは異なり、４本の配線部（２本の第１配線部３５Ｃと２本の第２配線部４５Ｃ）が検出回路５まで延びる。
【００６０】
（８）配線の第５例
図１５を用いて、配線の第５例の構成を説明する。図１５は、第５例の電極パターンを示す平面図である。
この実施形態では、基本的構造は第４例と同じである。
異なる点は、配線５１の第１電極パターン２１Ｇ（第１電極パターンの一例）の第１配線部３５Ｃ（第１配線部の一例）と、配線５３の第１電極パターン２１Ｇ（第３電極パターンの一例）の第１配線部３５Ｃ（第３配線部の一例）を共通にしたことである。これにより、配線部の本数が４本から３本（１本の第１配線部３５Ｄと２本の第２配線部４５Ｃ）に減らすことができ、それにより配線部の材料及び占有面積を減らせる。特に、制御のために必要となるＩＣ側の制御信号本数を減らすことができる。
【００６１】
（９）配線の第６例
図１６を用いて、配線の第６例の構成を説明する。図１６は、第６例の電極パターンを示す平面図である。
【００６２】
この実施形態では、４組の配線（配線６１、配線６３、配線６５、配線６７）が設けられている。配線６１、配線６３、配線６５及び配線６７は、同じフィルムの同じ面において異なる位置に形成されている。なお、配線６１と配線６５が、配線部の出力端から遠い側に配置されており、配線６３と配線６７が、配線部の出力端から近い側に配置されている。
配線６１は、第１電極パターン２１Ｉ（第１電極パターンの一例）と、第２電極パターン２１Ｊ（第２電極パターンの一例）とを有する。なお、配線６３は、第１電極パターン２１Ｉ（第３電極パターンの一例）と、第２電極パターン２１Ｊ（第４電極パターンの一例）とを有する。
【００６３】
配線６１を説明する。第１電極パターン２１Ｉは、複数の第１電極部３１と、第１連結部３３と、第１配線部３５Ｄとを有する。複数の第１電極部３１は、図の左右方向に延びる帯状又は短冊状であり、図の上下方向に互いに間隔を空けて配置されている。第１連結部３３は、図の上下方向に延び複数の第１電極部３１の図右側端同士を連結している。なお、第１連結部３３の図下側端を第１端部３７とし、図上側端を第２端部３９とする。
第１配線部３５Ｄは、第１端部３７から延びている。第１配線部３５Ｄは、検出回路５まで延びており、検出回路５に接続される出力端を有する。
【００６４】
第２電極パターン２１Ｊは、複数の第２電極部４１と、第２連結部４３と、第２配線部４５Ｄとを有する。複数の第２電極部４１は、図の左右方向に延びる帯状又は短冊状であり、図の上下方向に互いに間隔を空けて配置されている。第２電極部４１は第１電極部３１と交互に配置されている。第２連結部４３は、図の上下方向に延び複数の第２電極部４１の図左側端同士を連結している。なお、第２連結部４３の図下側端を第１端部４７とし、図上側端を第２端部４９とする。つまり、第１端部３７と第１端部４７は同じ側にあり、第２端部３９と第２端部４９は同じ側にある。言い換えると、第２端部４９は第１端部３７の対角にある。
【００６５】
第２配線部４５Ｄは、第２端部４９から延びている。より具体的には、第２配線部４５Ｄは、第２端部４９から始まり、図の最も上側の第１電極部３１に沿って延び、さらに第１連結部３３に沿って（つまり、近傍を通って）延び、さらに第１配線部３５Ｄに沿って延びる。これにより、第２配線部４５Ｄは、第１配線部３５Ｄに比べて長くなっている。なお、第２配線部４５Ｄは、検出回路５まで延びており、検出回路５に接続される出力端を有する。
【００６６】
この感圧センサ３の配線６１では、第１配線部３５Ｄが第１連結部３３の第１端部３７から延び、第２配線部４５Ｄが第２連結部４３の第２端部４９から延びている。したがって、隣接する第１電極部３１及び第２電極部４１が感圧層１７を介して接触した場合に第１配線部３５Ｄの出力端と第２配線部４５Ｄの出力端との間の抵抗が、第１電極部３１と第２電極部４１のいずれの組み合わせでも実質的に等しくなる。
なお、配線６３、配線６５、及び配線６７は、配線６１と構造が同じであるので、同様な機能が得られる。
【００６７】
この実施形態では、配線６１の第２電極パターン２１Ｊ（第２電極パターンの一例）の第２配線部４５Ｄ（第２配線部の一例）は、配線６３の第２電極パターン２１Ｊ（第４電極パターンの一例）の第２配線部４５Ｄ（第４配線部の一例）と共通である。同様に、配線６５の第２配線部４５Ｄは、配線６７の第２配線部４５Ｄと共通である。以上より、本来は８本の配線部が６本（４本の第１配線部３５Ｄ及び２本の第２配線部４５Ｄ）になっている。
また、この実施形態では、左右の額縁領域に設けられた配線部の数は３本ずつである。
【００６８】
（１０）配線パターンの第７例
図１７を用いて、配線パターンの第７例の構成を説明する。図１７は、第７例の電極パターンを示す平面図である。
【００６９】
この実施形態では、４組の配線（配線７１、配線７３、配線７５、配線７７）が設けられている。配線７１、配線７３、配線７５及び配線７７は、同じフィルムの同じ面において異なる位置に形成されている。なお、配線７１と配線７５が、配線部の出力端から遠い側に配置されており、配線７３と配線７７が、配線部の出力端から近い側に配置されている。
配線７１を説明する。配線７１は、第１電極パターン２１Ｋ（第１電極パターンの一例）と、第２電極パターン２１Ｌ（第２電極パターンの一例）とを有する。なお、配線７３は、第１電極パターン２１Ｋ（第３電極パターンの一例）と、第２電極パターン２１Ｌ（第４電極パターンの一例）とを有する。
【００７０】
第１電極パターン２１Ｋは、複数の第１電極部３１と、第１連結部３３と、第１配線部３５Ｅとを有する。第１電極部３１は、図の左右方向に延びる帯状又は短冊状であり、図の上下方向に間隔を空けて配置されている。第１連結部３３は、図の上下方向に延び複数の第１電極部３１の図左側端同士を連結している。なお、第１連結部３３の図下側端を第１端部３７とし、図上側端を第２端部３９とする。
第１配線部３５Ｅは、第１端部３７から延びている。第１配線部３５Ｅは、検出回路５まで延びており、検出回路５に接続される出力端を有する。
【００７１】
第２電極パターン２１Ｌは、複数の第２電極部４１と、第２連結部４３と、第２配線部４５Ｅとを有する。第２電極部４１は、図の左右方向に延びる帯状又は短冊状であり、図の上下方向に間隔を空けて配置されている。第２電極部４１は第１電極部３１と交互に配置されている。第２連結部４３は、図の上下方向に延び複数の第２電極部４１の図右側端同士を連結している。なお、第２連結部４３の図下側端を第１端部４７とし、図上側端を第２端部４９とする。つまり、第１端部３７と第１端部４７は同じ側にあり、第２端部３９と第２端部４９は同じ側にある。言い換えると、第２端部４９は第１端部３７の対角にある。
【００７２】
第２配線部４５Ｅは、第２端部４９から延びている。より具体的には、第２配線部４５Ｅは、第２端部４９から始まり、第２連結部４３に沿って（つまり、近傍を通って）延び、さらに配線７３の第２連結部４３に沿って（つまり、近傍を通って）延び、最後に第１配線部３５Ｅの近傍で第１配線部３５Ｅに平行して延びる。これにより、第２配線部４５Ｅは、第１配線部３５Ｅに比べて長くなっている。なお、第２配線部４５Ｅは、検出回路５まで延びており、検出回路５に接続される出力端を有する。
【００７３】
この感圧センサ３の配線７１では、第１配線部３５Ｅが第１連結部３３の第１端部３７から延び、第２配線部４５Ｅが第２連結部４３の第２端部４９から延びている。したがって、隣接する第１電極部３１及び第２電極部４１が感圧層１７を介して接触した場合に、導通経路全体の抵抗が、第１電極部３１と第２電極部４１のいずれの組み合わせでも実質的に等しくなる。
なお、配線７３、配線７５、及び配線７７は、配線７１と構造が同じであるので、同様な機能が得られる。
【００７４】
この実施形態では、配線７１の第１電極パターン２１Ｋ（第１電極パターンの一例）の第１配線部３５Ｅ（第１配線部の一例）は、配線７３の第１電極パターン２１Ｋ（第３電極パターンの一例）の第１配線部３５Ｅ（第３配線部の一例）、配線７５の第１電極パターン２１Ｋの第１配線部３５Ｅ、配線７７の第１電極パターン２１Ｋの第１配線部３５Ｅと共通である。以上より、本来は８本の配線部が５本（１本の第１配線部３５Ｅ及び４本の第２配線部４５Ｅ）になっている。
また、この実施形態では、左右の額縁領域に設けられた配線部の数は４本ずつである。
【００７５】
（１１）配線パターンの第８例
図１８を用いて、配線パターンの第８例の構成を説明する。図１８は、第８例の電極パターンを示す平面図である。
【００７６】
この実施形態では、４組の配線（配線８１、配線８３、配線８５、配線８７）が設けられている。配線８１、配線８３、配線８５及び配線８７は、同じフィルムの同じ面において異なる位置に形成されている。なお、配線８１と配線８５が、配線部の出力端から遠い側に配置されており、配線８３と配線８７が、配線部の出力端から近い側に配置されている。
配線８１及び配線８３を説明する。配線８１は、第１電極パターン２１Ｍ（第１電極パターンの一例）と、第２電極パターン２１Ｎ（第２電極パターンの一例）とを有する。配線８３は、第１電極パターン２１Ｍ（第３電極パターンの一例）と、第２電極パターン２１Ｎ（第４電極パターンの一例）とを有する。
【００７７】
以下、配線８１を詳細に説明する。
第１電極パターン２１Ｍは、複数の第１電極部３１と、第１連結部３３と、第１配線部３５Ｆとを有する。複数の第１電極部３１は、図の左右方向に延びる帯状又は短冊状であり、図の上下方向に互いに間隔を空けて配置されている。第１連結部３３は、図の上下方向に延び複数の第１電極部３１の図右側端同士を連結している。なお、第１連結部３３の図下側端を第１端部３７とし、図上側端を第２端部３９とする。
第１配線部３５Ｆは、第１端部３７から延びている。具体的には、第１配線部３５Ｆは、第２配線８３の第１配線部３５Ｆの図右側を通って延びている。第１配線部３５Ｆは、検出回路５まで延びており、検出回路５に接続される出力端を有する。
【００７８】
第２電極パターン２１Ｎは、複数の第２電極部４１と、第２連結部４３と、第２配線部４５Ｆとを有する。複数の第２電極部４１は、図の左右方向に延びる帯状又は短冊状であり、図の上下方向に互いに間隔を空けて配置されている。第２電極部４１は第１電極部３１と交互に配置されている。第２連結部４３は、図の上下方向に延び複数の第２電極部４１の図左側端同士を連結している。なお、第２連結部４３の図下側端を第１端部４７とし、図上側端を第２端部４９とする。つまり、第１端部３７と第１端部４７は同じ側にあり、第２端部３９と第２端部４９は同じ側にある。言い換えると、第２端部４９は第１端部３７の対角にある。
【００７９】
第２配線部４５Ｆは、第２端部４９から延びている。より具体的には、第２配線部４５Ｆは、第２端部４９から始まり、図上側に延びて折り返され、第２連結部４３に沿って（つまり、近傍を通って）延び、さらに配線８３の第２連結部４３に沿って（つまり、近傍を通って）延び、最後に第１配線部３５Ｆの近傍で第１配線部３５Ｆに平行して延びる。これにより、第２配線部４５Ｆは、第１配線部３５Ｆに比べて長くなっている。なお、第２配線部４５Ｆは、検出回路５まで延びており、検出回路５に接続される出力端を有する。
なお、第２配線部４５Ｆは、配線８１と配線８５との間、さらに、配線８３と配線８７との間を延びており、各第２連結部４３に対して隣接する位置に長く延びている。
【００８０】
この感圧センサ３の配線８１では、第１配線部３５Ｆが第１連結部３３の第１端部３７から延び、第２配線部４５Ｆが第２連結部４３の第２端部４９から延びている。したがって、隣接する第１電極部３１及び第２電極部４１が感圧層１７を介して接触した場合に、導通経路全体の抵抗が、第１電極部３１と第２電極部４１のいずれの組み合わせでも実質的に等しくなる。
なお、配線８３、配線８５、及び配線８７は、配線８１と構造が同じであるので、同様な機能が得られる。
【００８１】
この実施形態では、配線８１の第２電極パターン２１Ｎ（第２電極パターンの一例）の第２配線部４５Ｆ（第２配線部の一例）は、配線８３の第２電極パターン２１Ｎ（第４電極パターンの一例）の第２配線部４５Ｆ（第４配線部の一例）、配線８５の第２電極パターン２１Ｎの第２配線部４５Ｆ、配線８７の第２電極パターン２１Ｎの第２配線部４５Ｆと共通である。以上より、本来は８本の配線部が５本（４本の第１配線部３５Ｆ及び１本の第２配線部４５Ｆ）になっている。
また、この実施形態では、左右の額縁領域に設けられた配線部の数は２本ずつである。
【００８２】
（１２）配線パターンの第９例
図１９を用いて、配線パターンの第９例の構成を説明する。図１９は、第９例の電極パターンを示す平面図である。
【００８３】
この実施形態では、４組の配線（配線９１、配線９３、配線９５、配線９７）が設けられている。配線９１、配線９３、配線９５及び配線９７は、同じフィルムの同じ面において異なる位置に形成されている。なお、配線９１と配線９５が、配線部の出力端から遠い側に配置されており、配線９３と配線９７が、配線部の出力端から近い側に配置されている。
配線９１及び配線９３を説明する。配線９１は、第１電極パターン２１Ｏ（第１電極パターンの一例）と、第２電極パターン２１Ｐ（第２電極パターンの一例）とを有する。なお、配線９３は、第１電極パターン２１Ｏ（第３電極パターンの一例）と、第２電極パターン２１Ｐ（第４電極パターンの一例）とを有する。
【００８４】
以下、配線９１を詳細に説明する。
第１電極パターン２１Ｏは、複数の第１電極部３１と、第１連結部３３と、第１配線部３５Ｇとを有する。複数の第１電極部３１は、図の上下方向に延びる帯状又は短冊状であり、図の左右方向に互いに間隔を空けて配置されている。第１連結部３３は、図の左右方向に延び複数の第１電極部３１の図下側端同士を連結している。なお、第１連結部３３の図左側端を第１端部３７とし、図右側端を第２端部３９とする。
第１配線部３５Ｇは、第１端部３７から延びている。具体的には、第１配線部３５Ｇは、第３配線９３の図左側に沿って（つまり、近接して）配置されている。第１配線部３５Ｇは、検出回路５まで延びており、検出回路５に接続される出力端を有する。
【００８５】
第２電極パターン２１Ｐは、複数の第２電極部４１と、第２連結部４３と、第２配線部４５Ｇとを有する。複数の第２電極部４１は、図の上下方向に延びる帯状又は短冊状であり、図の左右方向に互いに間隔を空けて配置されている。第２電極部４１は第１電極部３１と交互に配置されている。第２連結部４３は、図の左右方向に延び複数の第２電極部４１の図上側端同士を連結している。なお、第２連結部４３の図左側端を第１端部４７とし、図右側端を第２端部４９とする。つまり、第１端部３７と第１端部４７は同じ側にあり、第２端部３９と第２端部４９は同じ側にある。言い換えると、第２端部４９は第１端部３７の対角にある。
【００８６】
第２配線部４５Ｇは、第２端部４９から延びている。より具体的には、第２配線部４５Ｇは、第２端部４９から始まり、図最も右側の第１電極部３１に沿って（つまり、近傍を通って）延び、さらに配線９３の第２配線部４５Ｇに沿って（つまり、近傍を通って）延び、最後に第１配線部３５Ｇの近傍で第１配線部３５Ｇに平行して延びる。これにより、第２配線部４５Ｇは、第１配線部３５Ｇに比べて長くなっている。なお、第２配線部４５Ｇは、検出回路５まで延びており、検出回路５に接続される出力端を有する。
【００８７】
この感圧センサ３の配線９１では、第１配線部３５Ｇが第１連結部３３の第１端部３７から延び、第２配線部４５Ｇが第２連結部４３の第２端部４９から延びている。したがって、隣接する第１電極部３１及び第２電極部４１が感圧層１７を介して接触した場合に、導通経路全体の抵抗が、第１電極部３１と第２電極部４１のいずれの組み合わせでも実質的に等しくなる。
なお、配線９３、配線９５、及び配線９７は、配線９１と構造が同じであるので、同様な機能が得られる。
【００８８】
この実施形態では、配線９１の第１電極パターン２１Ｏ（第１電極パターンの一例）の第１配線部３５Ｇ（第１配線部の一例）は、配線９３の第１電極パターン２１Ｏ（第３電極パターンの一例）の第１配線部３５Ｇ（第３配線部の一例）、配線９５の第１電極パターン２１Ｏの第１配線部３５Ｇ、配線９７の第１電極パターン２１Ｏの第１配線部３５Ｇと共通である。以上より、本来は８本の配線部が５本（１本の第１配線部３５Ｇ及び４本の第２配線部４５Ｇ）になっている。
なお、配線９３の第２配線部４５Ｇは、距離を長くするために複数回折り返された形状になっている。
また、この実施形態では、左右の額縁領域に設けられた配線部の数は２本ずつである。
【００８９】
（１３）配線パターンの第１０例
図２０を用いて、配線パターンの第１０例の構成を説明する。図２０は、第１０例の電極パターンを示す平面図である。
【００９０】
この実施形態では、４組の配線（配線２０１、配線２０３、配線２０５、配線２０７）が設けられている。配線２０１、配線２０３、配線２０５及び配線２０７は、同じフィルムの同じ面において異なる位置に形成されている。なお、配線２０１と配線２０５５が、配線部の出力端から遠い側に配置されており、配線２０３と配線２０７が、配線部の出力端から近い側に配置されている。
配線２０１及び配線２０３を説明する。配線２０１は、第１電極パターン２１Ｑ（第１電極パターンの一例）と、第２電極パターン２１Ｒ（第２電極パターンの一例）とを有する。なお、配線２０３は、第１電極パターン２１Ｑ（第３電極パターンの一例）と、第２電極パターン２１Ｒ（第４電極パターンの一例）とを有する。
【００９１】
以下、配線２０１を詳細に説明する。
第１電極パターン２１Ｑは、複数の第１電極部３１と、第１連結部３３と、第１配線部３５Ｈとを有する。複数の第１電極部３１は、図の上下方向に延びる帯状又は短冊状であり、図の左右方向に互いに間隔を空けて配置されている。第１連結部３３は、図の左右方向に延び複数の第１電極部３１の図下側端同士を連結している。なお、第１連結部３３の図左側端を第１端部３７とし、図右側端を第２端部３９とする。
第１配線部３５Ｈは、第１端部３７から延びている。第１配線部３５Ｈは、検出回路５まで延びており、検出回路５に接続される出力端を有する。
【００９２】
第２電極パターン２１Ｒは、複数の第２電極部４１と、第２連結部４３と、第２配線部４５Ｈとを有する。複数の第２電極部４１は、図の上下方向に延びる帯状又は短冊状であり、図の左右方向に互いに間隔を空けて配置されている。第２電極部４１は第１電極部３１と交互に配置されている。第２連結部４３は、図の左右方向に延び複数の第２電極部４１の図上側端同士を連結している。なお、第２連結部４３の図左側端を第１端部４７とし、図右側端を第２端部４９とする。つまり、第１端部３７と第１端部４７は同じ側にあり、第２端部３９と第２端部４９は同じ側にある。言い換えると、第２端部４９は第１端部３７の対角にある。
【００９３】
第２配線部４５Ｈは、第２端部４９から延びている。より具体的には、第２配線部４５Ｈは、第２端部４９から始まり、図最も右側の第１電極部３１に沿って（つまり、近傍を通って）延び、さらに配線２０３の図最も右側の第１電極部３１に沿って（つまり、近傍を通って）延び、最後に第１配線部３５Ｈの近傍で第１配線部３５Ｈに平行して延びる。これにより、第２配線部４５Ｈは、第１配線部３５Ｈに比べて長くなっている。なお、第２配線部４５Ｈは、検出回路５まで延びており、検出回路５に接続される出力端を有する。
この実施形態では、第１配線２０１と第２配線２０３が線対称であり、第１連結部３３同士が共通である。また、第３配線２０５と第４配線２０７が線対称であり、第１連結部３３同士が共通である。
【００９４】
この感圧センサ３の配線２０１では、第１配線部３５Ｈが第１連結部３３の第１端部３７から延び、第２配線部４５Ｈが第２連結部４３の第２端部４９から延びている。したがって、隣接する第１電極部３１及び第２電極部４１が感圧層１７を介して接触した場合に、導通経路全体の抵抗が、第１電極部３１と第２電極部４１のいずれの組み合わせでも実質的に等しくなる。
なお、配線２０３、配線２０５、及び配線２０７は、配線２０１と構造が同じであるので、同様な機能が得られる。
【００９５】
この実施形態では、配線２０１の第１電極パターン２１Ｑ（第１電極パターンの一例）の第１配線部３５Ｈ（第１配線部の一例）は、配線２０３の第１電極パターン２１Ｑ（第３電極パターンの一例）の第１配線部３５Ｈ（第３配線部の一例）、配線２０５の第１電極パターン２１Ｑの第１配線部３５Ｈ、配線２０７の第１電極パターン２１Ｑの第１配線部３５Ｈと共通である。以上より、本来は８本の配線部が５本（１本の第１配線部３５Ｈ及び４本の第２配線部４５Ｈ）になっている。
なお、配線２０３の第２配線部４５Ｈは、距離を長くするために複数回折り返された形状になっている。
また、この実施形態では、左右の額縁領域に設けられた配線部の数は１本ずつである。
【００９６】
（１４）応用例
図２１を用いて、上記の感圧センサが表示装置に用いられた例を説明する。図２１は、感圧センサが適用された表示装置の模式的断面図である。
図２１に示すように、表示装置１０１は、筐体１０３を有する。筐体１０３は図上側が開いた形状である。
表示装置１０１は、ガラス１０５を有する。ガラス１０５の下面は、筐体１０３の枠部の上に接着層１０７によって固定されている。ガラス１０５と筐体１０３との間には空間が確保されている。
【００９７】
表示装置１０１は、ＬＣＤモジュール１０９を有する。ＬＣＤモジュール１０９は、ガラス１０５の下面に設けられている。
表示装置１０１は、感圧センサ１１１を有する。感圧センサ１１１は、前述の感圧センサ３と同じである。
表示装置１０１は、クッション材１１３を有する。クッション材１１３は、感圧センサ１１１と筐体１０３の底面との間に設けられている。クッション材１１３は弾性変形可能な材料からなる。クッション材１１３は、感圧センサ１１１の上側のみに設けられていてもよいし、感圧センサ１１１の上下両側に設けられていてもよい。
【００９８】
以上の実施形態では、ガラス１０５に押圧力が作用すると、ＬＣＤモジュール１０９を介して感圧センサ１１１に押圧力が作用する。それにより、前記実施形態で説明したように、感圧センサ１１１によって押圧力が検出される。なお、ＬＣＤモジュールではなく、ＯＬＥＤを用いてもよい。
【００９９】
２．他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
前記実施形態では電極パターンの線幅を均一なものであるとして表現したが、これが本発明を制限するものではないことは当然である。
【０１００】
前記実施形態では電極部同士の間隔を等間隔なものであるとして表現したが、これが本発明を限定するものではないことは当然である。
前記実施形態では電極部の形状を直線であるとして表現したが、これが本発明を限定するものではないことは当然である。
【産業上の利用可能性】
【０１０１】
本発明は、感圧層と一対の電極パターンとが空間を介して対向配置された感圧センサに広く適用できる。
【符号の説明】
【０１０２】
１        ：センサ装置
３        ：感圧センサ
５        ：検出回路
７        ：制御部
９        ：上側層
１１      ：下側層
１３      ：中間接着層
１５      ：上部フィルム
１７      ：感圧層
１９      ：下部フィルム
２１      ：配線
２１Ａ    ：第１電極パターン
２１Ｂ    ：第２電極パターン
３１      ：第１電極部
３３      ：第１連結部
３５      ：第１配線部
３７      ：第１端部
３９      ：第２端部
４１      ：第２電極部
４３      ：第２連結部
４５      ：第２配線部
４７      ：第１端部
４９      ：第２端部
【図１】
0006297613.tif 000002
【図２】
0006297613.tif 000003
【図３】
0006297613.tif 000004
【図４】
0006297613.tif 000005
【図５】
0006297613.tif 000006
【図６】
0006297613.tif 000007
【図７】
0006297613.tif 000008
【図８】
0006297613.tif 000009
【図９】
0006297613.tif 000010
【図１０】
0006297613.tif 000011
【図１１】
0006297613.tif 000012
【図１２】
0006297613.tif 000013
【図１３】
0006297613.tif 000014
【図１４】
0006297613.tif 000015
【図１５】
0006297613.tif 000016
【図１６】
0006297613.tif 000017
【図１７】
0006297613.tif 000018
【図１８】
0006297613.tif 000019
【図１９】
0006297613.tif 000020
【図２０】
0006297613.tif 000021
【図２１】
0006297613.tif 000022